【手続補正書】
【提出日】平成17年6月27日(2005.6.27)
【手続補正１】
【補正対象書類名】明細書
【補正対象項目名】特許請求の範囲
【補正方法】変更
【補正の内容】
【特許請求の範囲】
【請求項１】
搬送手段と、この搬送手段により搬送される被印刷体に対して、印刷すべき領域に応じた移動区間を移動しながら印刷をする印刷ヘッドとを有し、
前記印刷ヘッドが、前記移動区間の移動終了後、別の領域の印刷をするために、前記移動区間の移動終了位置から、前記別の領域に応じた移動区間の移動開始位置に移動する印刷装置において、
前記移動終了位置から前記別の領域に応じた移動区間の各端への前記印刷ヘッドの予想移動時間を算出する算出手段を備え、
前記算出手段は、前記移動終了位置から前記別の領域に応じた移動区間の各端への距離を算出し、その距離に基づき設定される前記印刷ヘッドの目標移動定速度から加減速時間および前記目標移動定速度による移動時間を求め、これらの時間から前記予想移動時間を算出し、
前記移動開始位置は、前記別の領域に応じた移動区間の両端のうち、前記算出手段によって算出された前記予想移動時間が短い方の端であることを特徴とする印刷装置。
【請求項２】
請求項１に記載の印刷装置であって、
前記印刷ヘッドの目標移動定速度が、前記移動終了位置から前記移動開始位置までの距離に応じて可変設定されることを特徴とする。
【請求項３】
請求項２に記載の印刷装置であって、
前記目標移動定速度が前記移動終了位置から前記移動開始位置までの距離に応じて段階的に可変設定されることを特徴とする。
【請求項４】
請求項１〜３のいずれか１項に記載の印刷装置であって、
前記印刷ヘッドを移動させるためのモータがＤＣモータであることを特徴とする。
【請求項５】
搬送手段と、この搬送手段により搬送される被印刷体に対して、印刷すべき領域に応じた移動区間を移動しながら印刷をする印刷ヘッドとを有し、
前記印刷ヘッドが、前記移動区間の移動終了後、別の領域の印刷をするために、前記移動区間の移動終了位置から、前記別の領域に応じた移動区間の移動開始位置に移動する印刷装置において、
前記移動終了位置から前記別の領域に応じた移動区間の各端への前記印刷ヘッドの予想移動時間を算出する算出手段を備え、
前記算出手段は、前記移動終了位置から前記別の領域に応じた移動区間の各端への距離を算出し、その距離に基づき設定される前記印刷ヘッドの目標移動定速度から加減速時間および前記目標移動定速度による移動時間を求め、これらの時間から前記予想移動時間を算出し、
前記移動開始位置は、前記別の領域に応じた移動区間の両端のうち、前記算出手段によって算出された前記予想移動時間が短い方の端であり、
前記印刷ヘッドの目標移動定速度が、前記移動終了位置から前記移動開始位置までの距離に応じて段階的に可変設定され、
前記印刷ヘッドを移動させるためのモータがＤＣモータであることを特徴とする印刷装置。
【請求項６】
コンピュータ本体、及びコンピュータ本体に接続可能な印刷装置を具備したコンピュータシステムにおいて、
前記印刷装置は、搬送手段と、この搬送手段により搬送される被印刷体に対して、印刷すべき領域に応じた移動区間を移動しながら印刷をする印刷ヘッドとを有し、前記印刷ヘッドが、前記移動区間の移動終了後、別の領域の印刷をするために、前記移動区間の移動終了位置から、前記別の領域に応じた移動区間の移動開始位置に移動する印刷装置であって、
前記移動終了位置から前記別の領域に応じた移動区間の各端への前記印刷ヘッドの予想移動時間を算出する算出手段を備え、
前記算出手段は、前記移動終了位置から前記別の領域に応じた移動区間の各端への距離を算出し、その距離に基づき設定される前記印刷ヘッドの目標移動定速度から加減速時間および前記目標移動定速度による移動時間を求め、これらの時間から前記予想移動時間を算出し、
前記移動開始位置は、前記別の領域に応じた移動区間の両端のうち、前記算出手段によって算出された前記予想移動時間が短い方の端であることを特徴とするコンピュータシステム。
【手続補正２】
【補正対象書類名】明細書
【補正対象項目名】００１０
【補正方法】変更
【補正の内容】
【００１０】
【課題を解決するための手段】
前記目的を達成するための主たる発明は、搬送手段と、この搬送手段により搬送される被印刷体に対して、印刷すべき領域に応じた移動区間を移動しながら印刷をする印刷ヘッドとを有し、
前記印刷ヘッドが、前記移動区間の移動終了後、別の領域の印刷をするために、前記移動区間の移動終了位置から、前記別の領域に応じた移動区間の移動開始位置に移動する印刷装置において、
前記移動終了位置から前記別の領域に応じた移動区間の各端への前記印刷ヘッドの予想移動時間を算出する算出手段を備え、
前記算出手段は、前記移動終了位置から前記別の領域に応じた移動区間の各端への距離を算出し、その距離に基づき設定される前記印刷ヘッドの目標移動定速度から加減速時間および前記目標移動定速度による移動時間を求め、これらの時間から前記予想移動時間を算出し、
前記移動開始位置は、前記別の領域に応じた移動区間の両端のうち、前記算出手段によって算出された前記予想移動時間が短い方の端であることを特徴とする印刷装置である。
本発明の他の特徴は、本明細書及び添付図面の記載により明らかにする。
【手続補正３】
【補正対象書類名】明細書
【補正対象項目名】００１１
【補正方法】変更
【補正の内容】
【００１１】
【発明の実施の形態】
＝＝＝開示の概要＝＝＝
本明細書及び添付図面の記載により、少なくとも以下の事項が明らかとなる。
搬送手段と、この搬送手段により搬送される被印刷体に対して、印刷すべき領域に応じた移動区間を移動しながら印刷をする印刷ヘッドとを有し、
前記印刷ヘッドが、前記移動区間の移動終了後、別の領域の印刷をするために、前記移動区間の移動終了位置から、前記別の領域に応じた移動区間の移動開始位置に移動する印刷装置において、
前記移動終了位置から前記別の領域に応じた移動区間の各端への前記印刷ヘッドの予想移動時間を算出する算出手段を備え、
前記算出手段は、前記移動終了位置から前記別の領域に応じた移動区間の各端への距離を算出し、その距離に基づき設定される前記印刷ヘッドの目標移動定速度から加減速時間および前記目標移動定速度による移動時間を求め、これらの時間から前記予想移動時間を算出し、
前記移動開始位置は、前記別の領域に応じた移動区間の両端のうち、前記算出手段によって算出された前記予想移動時間が短い方の端であることを特徴とする印刷装置。
【手続補正４】
【補正対象書類名】明細書
【補正対象項目名】００１２
【補正方法】変更
【補正の内容】
【００１２】
この印刷装置にあっては、印刷ヘッドが印刷すべき領域に対応した移動区間を移動した後、別の領域の印刷をするために、その移動終了位置から、別の領域に応じた移動区間の両端のうち、移動時間の短い方の端に移動するから、印刷ヘッドを効率よく移動させることができ、前述したロジカルシーク制御に比べて、スループットの向上をより一層図ることができる。さらに、算出した移動時間に基づき、移動時間の短い方の端を選択して、効率よく印刷ヘッドを移動させることができる。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１８
【補正方法】変更
【補正の内容】
【００１８】
搬送手段と、この搬送手段により搬送される被印刷体に対して、印刷すべき領域に応じた移動区間を移動しながら印刷をする印刷ヘッドとを有し、
前記印刷ヘッドが、前記移動区間の移動終了後、別の領域の印刷をするために、前記移動区間の移動終了位置から、前記別の領域に応じた移動区間の移動開始位置に移動する印刷装置において、
前記移動終了位置から前記別の領域に応じた移動区間の各端への前記印刷ヘッドの予想移動時間を算出する算出手段を備え、
前記算出手段は、前記移動終了位置から前記別の領域に応じた移動区間の各端への距離を算出し、その距離に基づき設定される前記印刷ヘッドの目標移動定速度から加減速時間および前記目標移動定速度による移動時間を求め、これらの時間から前記予想移動時間を算出し、
前記移動開始位置は、前記別の領域に応じた移動区間の両端のうち、前記算出手段によって算出された前記予想移動時間が短い方の端であり、
前記印刷ヘッドの目標移動定速度が、前記移動終了位置から前記移動開始位置までの距離に応じて段階的に可変設定され、
前記印刷ヘッドを移動させるためのモータがＤＣモータであることを特徴とする印刷装置。
【手続補正８】
【補正対象書類名】明細書
【補正対象項目名】００１９
【補正方法】変更
【補正の内容】
【００１９】
コンピュータ本体、及びコンピュータ本体に接続可能な印刷装置を具備したコンピュータシステムにおいて、
前記印刷装置は、搬送手段と、この搬送手段により搬送される被印刷体に対して、印刷すべき領域に応じた移動区間を移動しながら印刷をする印刷ヘッドとを有し、前記印刷ヘッドが、前記移動区間の移動終了後、別の領域の印刷をするために、前記移動区間の移動終了位置から、前記別の領域に応じた移動区間の移動開始位置に移動する印刷装置であって、
前記移動終了位置から前記別の領域に応じた移動区間の各端への前記印刷ヘッドの予想移動時間を算出する算出手段を備え、
前記算出手段は、前記移動終了位置から前記別の領域に応じた移動区間の各端への距離を算出し、その距離に基づき設定される前記印刷ヘッドの目標移動定速度から加減速時間および前記目標移動定速度による移動時間を求め、これらの時間から前記予想移動時間を算出し、
前記移動開始位置は、前記別の領域に応じた移動区間の両端のうち、前記算出手段によって算出された前記予想移動時間が短い方の端であることを特徴とするコンピュータシステム。